(57)【要約】【課題】複数種類の小物を収納することができ、しかも使用勝手を向上することができる小物入れ並びにこの小物入れを備えた画像形成装置を提供する。【解決手段】一面に開放する複数の収納空間１１〜１６を備えた本体１２と、収納空間１１〜１６内で変位可能な引出体１８と、引出体１８に配置された磁性体１９とを備えている。【選択図】      図１
2007279182.tif 000002
【特許請求の範囲】
【請求項１】
一面に開放する複数の収納空間を備えた本体と、前記収納空間内で変位可能な引出体と、該引出体に配置された磁性体とを備えていることを特徴とする小物入れ。
【請求項２】
前記引出体の引き出し方向奥側縁部には折り返し部が設けられていることを特徴とする請求項１に記載の小物入れ。
【請求項３】
前記引出体が前記本体に放射状に複数設けられていることを特徴とする請求項１又は請求項２に記載の小物入れ。
【請求項４】
前記引出体が前記本体に上下方向に複数段状に設けられていることを特徴とする請求項１又は請求項２に記載の小物入れ。
【請求項５】
前記本体が複数に分割されて上下方向に着脱可能に重畳されていることを特徴とする請求項４に記載の小物入れ。
【請求項６】
操作パネルに隣接する位置に小物入れ収納部が形成され、該小物入れ収納部に請求項１乃至請求項５の何れかに記載の小物入れが着脱可能に設けられていることを特徴とする画像形成装置。
【発明の詳細な説明】
【技術分野】
【０００１】
本発明は、小物入れ、特に、クリップや使用済みステープラ針を収納する小物入れ、及びこの小物入れを備えた画像形成装置に関する。
【背景技術】
【０００２】
従来、インサート成形や嵌め込みにより磁石等の磁性体を内蔵した本体に収納空間を形成し、この収納空間内にクリップ等を収納可能とした小物入れが周知である。
【０００３】
また、このような小物入れは、卓上等に載置して使用される他、画像形成装置等のように操作パネルに隣接する位置に設けているものも知られている（例えば、特許文献１参照）。
【０００４】
このような小物入れは、例えば、複写機やファクシミリなどの画像形成装置を使用するに際して、原稿をクリップ止めしていた場合、そのクリップを一時的に取り外して複写や送信のために原稿の読み取った後、再び原稿をクリップ止めする際の紛失防止用として用いることにより使用勝手を向上させている。また、複数のクリップを予め吸着させておき、複数部の複写原稿を部数毎にクリップ止めする場合のストック用として用いる場合もある。
【特許文献１】特開２００２−１６９６４９号公報
【発明の開示】
【発明が解決しようとする課題】
【０００５】
ところで、上記の如く構成された小物入れにあっては、主としてクリップを磁性体の磁力によって吸着することで散乱の防止或いは取り易さを実現するものである。
【０００６】
また、このようなクリップは、例えば、複写機能によって複数部の複写原稿を部数毎にクリップ止めするストック用として複数用意していた場合、同一種類のものであれば特に問題は無いものの、異なった大きさ等の複数種類のクリップを用意した場合、吸着可能な数が少ないうえ、複数種類のクリップが混在してしまって使用勝手が悪いという問題が生じていた。
【０００７】
また、クリップを原稿から取り外す際に、変に曲がってしまって再利用するには機能的に問題があるものや、原稿束を綴じていたステープル針の取り外し後の不要なものなどを同じ収納空間内に入れてしまうと、同一収納空間内に利用可能なクリップと不要なクリップやステープル針とが混在してしまい、使用勝手が悪くなるといった問題も生じていた。
【０００８】
そこで、本発明は、上記事情を考慮し、複数種類の小物を収納することができ、しかも使用勝手を向上することができる小物入れ並びにこのような小物入れを備えた画像形成装置を提供することを目的とする。
【課題を解決するための手段】
【０００９】
本発明の小物入れは、一面に開放する複数の収納空間を備えた本体と、前記収納空間内で変位可能な引出体と、該引出体に配置された磁性体とを備えていることを特徴とする。
【００１０】
このような構成によれば、磁性体による吸着機能を備えた引出体が複数設けられていることにより、磁力による吸着機能を具備した使用勝手の良い複数の引出体の各々に、異なった種類や用途の小物を収納することができる。
【００１１】
本発明の小物入れは、前記引出体の引き出し方向奥側縁部には折り返し部が設けられていることを要旨とすることにより、引出体の奥側に位置している小物が引出体を引き出した際に収納空間内に残存してしまうことを防止することができる。
【００１２】
本発明の小物入れは、前記引出体が前記本体に放射状に複数設けられていることを要旨とすることにより、引出体を立て向きに配置することができ、しかも、磁性体により立て向きとした引出体内に収納した小物が下側に貯まってしまうことを防止することができる。
【００１３】
本発明の小物入れは、前記引出体が前記本体に上下方向に複数段状に設けられていることを要旨とすることにより、引出体を水平方向に配置することが可能となる。
【００１４】
本発明の小物入れは、前記本体が複数に分割されて上下方向に着脱可能に重畳されていることを要旨とすることにより、小物の種類等に応じた段数での使用に変更することが可能となる。
【発明の効果】
【００１５】
本発明の小物入れは、複数種類の小物を収納することができ、しかも使用勝手の向上を図ることができる。
【発明を実施するための最良の形態】
【００１６】
次に、本発明の一実施形態に係る小物入れを画像形成装置用の小物入れに適用し、図面を参照して説明する。
【００１７】
図８は本発明の一実施形態における小物入れを設けた画像形成装置の斜視図である。
【００１８】
図８において、１は複写機・ファクシミリ・スキャナー・プリンタ或いはこれらを組み合わせた複合機といった画像形成装置である。
【００１９】
この画像形成装置１は、装置本体２の前面から引出体可能な複数段の用紙トレイユニット３，４，５と、手差し給紙口１ａから給紙される用紙を載置する手差しトレイ６と、複写機・ファクシミリ・スキャナーとして原稿を読み取る際の自動原稿送り装置（ＡＤＦ）７と、各種機能の設定・選択や複写枚数設定等を行う操作パネル８と、操作パネル８に隣接する本体パネル９に設けられた小物入れ１０とを備えている。尚、この画像形成装置１の形状や構成・機能（複写機機能やファクシミリ機能等）は図示例のものに限定されるものではない。また、例えば、ソーター等のオプション機能設置等の設置を妨げるものではない。
【００２０】
図１は本発明の一実施形態に係る小物入れの断面図、図２は本発明の一実施形態に係る小物入れに使用される引出体の側面図、図３は本発明の一実施形態に係る小物入れに使用される引出体の平面図である。
【００２１】
図１に示すように、小物入れ１０は、一面として円弧状に連続する正面に向かって開放する複数の収納空間１１〜１６を備えた本体１７と、各収納空間１１〜１６内に引出し可能に収納された引出体１８とを備えている。
【００２２】
本体１７は、例えば、透明なアクリル樹脂等から形成されており、各収納空間１１〜１６を中空としてその周囲を中実とした成形品のほか、開放端を除いた収納空間１１〜１６の周壁以外を中空としたブロー成形等による成形品等が用いられている。尚、一つ以上の引出体１８を収納可能とした筐体状（六面体形状）の一面（前面）を開放したものを複数段、着脱可能に重畳して本体を構成し、利用者が任意の段数に変更可能とすることも可能である。また、本体１７を透明体とすることにより、引出体１８に収納されている中身が見えるようになっているが、不透明（又は半透明）な材質から形成しても良い。
【００２３】
引出体１８は、図２及び図３に示すように、収納空間１１〜１６内に位置する平板状の底板１８ａと、底板１８ａの一縁部中央から突出するノブ１８ｂと、このノブ１８ｂとは反対側の底板１８ａの一縁部からノブ１８ｂ側に折り返された折り返し１８ｃとを備えている。尚、この折り返し１８ｃは先端側を断面先細りとすることにより、引出体１８を収納空間１１〜１６から引出す際の掻き出し効果を奏することができる。また、底板１８ａには磁性体１９が設けられている。
【００２４】
この磁性体１９は、例えば、多数のクリップＣを底板１８ａに吸着させるもので、薄肉の磁石板等が用いられている。また、磁性体１９は、引出体１８を樹脂成形する際にインサート成形等によって一体に設けられている。この際、磁性体１９は、底板１８ａの略全域に設けられており、その磁力によるクリップＣ等の吸着効果を底板１８ａの全域で確保している。
【００２５】
このような構成において、各収納空間１１〜１６には、引出可能に引出体１８が収納されている。また、各引出体１８には、複数種類のクリップＣ等が吸着されている。
【００２６】
これにより、各引出体１８には、それぞれ異なった種類（大きさ等）のクリップＣを収納することができる。
【００２７】
この際、引出体１８は、例えば、収納空間１１内の引出体１８は上下方向に収納されているが、引出体１８内のクリップＣ等はその吸着によって下方に溜まることなく収納されている。
【００２８】
尚、図１において、上側の収納空間１１，１２等に収納されている引出体１８は、引出した時に背面側が正面を向くようになってしまうことから、向きを逆にして収納空間１１，１２内に収納してもよい。この場合、引出体１８からのクリップＣの取り出しを手前側から一段と容易に行うことができる。
【００２９】
また、収納空間１１〜１６と引出体１８とをスプリング等で連結し、常時引き戻し方向、即ち常時収納方向に付勢することも可能である、
ところで、図４及び図５に示すように、磁性体１９を底板１８ａの折り返し１８ｃ側に設けてノブ１８ｂ側にまでは設けない構成とすることができる。このような構成とした場合、大量にクリップＣを使用する場合など、ノブ１８ｂ側にクリップＣを手繰り寄せておく際に有用である。
【００３０】
また、図６及び図７に示すように、底板１８ａの周縁部に周壁１８ｄを立ち上げると共に仕切り壁１８ｅを設け、磁性体１９を仕切り壁１８ｅよりも折り返し１８ｃ側にのみ設け、仕切り壁１８ｅよりもノブ１８ｂ側は吸着効果が及ばないようにすることにより、変に曲がってしまって再利用するには機能的に問題があるクリップＣ１や、原稿束を綴じていたステープル針Ｓの取り外し後の不要なもの等のごみ箱空間２０を形成しても良い。
【００３１】
この際、ごみ箱空間２０を備えた引出体１８は、吸着効果を備えていないため、図１に示した本体１７の場合には最下段（略水平に配置される部分）に設ける方が好ましい。
【００３２】
このような、ごみ箱空間２０内のクリップＣ１やステープル針Ｓは、引出体１８を上下逆にするだけで廃棄処理することができる。この際、同一の引出体１８に使用可能なクリップＣが収納されていても、このクリップＣは磁性体１９により吸着されているため、不測に廃棄してしまうことを防止することができる。
【００３３】
また、このような小物入れ１０は、上述した画像形成装置１に搭載可能であるほか、卓上等に載置するものとして適用することができる。この際、小物入れ１０には、上述したクリップＣ，Ｃ１や使用済みステープル針Ｓの他、未使用のステープル針のカートリッジや画鋲、或いは、釘等のように、磁力によって吸着可能なもの全般において収納することができる。
【００３４】
さらに、引出体１８を収納空間１１〜１６から引出した際、その全部が引出されないように内部と係合するストッパ機能を具備することも可能である。
【図面の簡単な説明】
【００３５】
【図１】本発明の一実施形態に係る実施例１の小物入れの断面図である。
【図２】本発明の一実施形態に係る小物入れに使用される引出体の側面図である。
【図３】本発明の一実施形態に係る小物入れに使用される引出体の平面図である。
【図４】本発明の一実施形態に係る小物入れに使用される変形例の引出体の側面図である。
【図５】本発明の一実施形態に係る小物入れに使用される変形例の引出体の平面図である。
【図６】本発明の一実施形態に係る小物入れに使用される応用例の引出体の側面図である。
【図７】本発明の一実施形態に係る小物入れに使用される応用例の引出体の平面図である。
【図８】本発明の一実施形態に係る小物入れを設けた画像形成装置の斜視図である。
【符号の説明】
【００３６】
１０…小物入れ
１１…収納空間
１２…収納空間
１３…収納空間
１４…収納空間
１５…収納空間
１６…収納空間
１７…本体
１８…引出体
１８ａ…底板
１８ｂ…ノブ
１８ｃ…折り返し
１８ｄ…周壁
１８ｅ…仕切り壁
１９…磁性体
２０…ごみ箱空間
【図１】
2007279182.tif 000003
【図２】
2007279182.tif 000004
【図３】
2007279182.tif 000005
【図４】
2007279182.tif 000006
【図５】
2007279182.tif 000007
【図６】
2007279182.tif 000008
【図７】
2007279182.tif 000009
【図８】
2007279182.tif 000010